(57)【特許請求の範囲】
【請求項１】
伸縮素材からなり肩掛部を有する上衣と、
伸縮素材からなり股部を有する下衣と、
前記上衣の裾部又は前記下衣の腰部のいずれか一方に他方を外側から覆うように設けられる重合部と、
前記重合部に設けられて前記上衣の前記裾部及び前記下衣の前記腰部を着脱自在に連結する係止具と、を備え、
前記係止具は、前記上衣と前記下衣の分離操作を開始するための始動部を有し、
前記重合部において周方向の一部に、前記上衣の前記裾部又は前記下衣の前記腰部の一方から他方へ向けて更に突出する延長部位を部分的に形成し、前記延長部位の先端に前記始動部を設けたことを特徴とするスポーツウエア。
【請求項２】
前記係止具として、前記重合部の周方向へ延びる長尺留め具を設けるとともに、前記始動部として、前記重合部の周方向へ点状に配置される点状留め具を設けたことを特徴とする請求項１記載のスポーツウエア。
【請求項３】
前記長尺留め具が、前記重合部の周方向の一部を除いて部分的に配置され、前記下衣の前記腰部において前記長尺留め具が配置されない箇所を、周方向へ伸縮変形な伸縮部としたことを特徴とする請求項２記載のスポーツウエア。
【請求項４】
前記重合部において着用者の正面側となる箇所に前記延長部位を形成したことを特徴とする請求項１、２又は３記載のスポーツウエア。
【請求項５】
前記長尺留め具が、開離嵌挿部を有する開離型スライドファスナーであり、前記開離嵌挿部の挿入方向を、前記上衣から前記下衣に向け前記重合部の周方向に沿って徐々に着用者の正面側へ向かうように傾斜させたことを特徴とする請求項２、３又は４記載のスポーツウエア。
【発明の詳細な説明】
【技術分野】
【０００１】
本発明は、例えばビブショーツやビブスーツと呼ばれるサイクリングパンツ、又はワンピースと呼ばれるサイクリングウエア、若しくはその他のスポーツ用ウエアやスポーツ用アンダーウエアなどとして用いられるスポーツウエアに関する。
【背景技術】
【０００２】
従来、この種のスポーツウエアとして、パンツ本体と、１対の肩紐部と、１対のバックル部とを備え、パンツ本体が前ウエスト部と、後ウエスト部と、一対の脚開口部の間に位置する股部とを有するサイクリングパンツがある（例えば、特許文献１参照）。
【先行技術文献】
【特許文献】
【０００３】
【特許文献１】特開２００６−３２８５７３号公報
【発明の概要】
【発明が解決しようとする課題】
【０００４】
このようなスポーツウエアは、肩紐部で吊り下げるため、ウエスト部分を強く締め付けなくても、運動中にズリ落ちることがなく、腹部への圧迫感が少ないから、特にサイクリング用として有効利用されている。
しかし乍ら、このような従来のスポーツウエアでは、体温調整用に上着を着る場合、上着の下に肩紐部があるため、トイレなどで脱ぎ着する必要がある際には、上着を脱がないと、パンツ本体を下げることができず、非常に不便であるという問題があった。
【０００５】
本発明は、このような問題に対処することを課題とするものであり、上衣及び下衣の連結及び分離操作が行い易く、且つ上衣と下衣の隙間からの風侵入を防止しながら係止具による違和感が無いスポーツウエアを提供すること、などを目的とするものである。
【課題を解決するための手段】
【０００６】
このような目的を達成するために本発明は、伸縮素材からなり肩掛部を有する上衣と、伸縮素材からなり股部を有する下衣と、前記上衣の裾部又は前記下衣の腰部のいずれか一方に他方を外側から覆うように設けられる重合部と、前記重合部に設けられて前記上衣の前記裾部及び前記下衣の前記腰部を着脱自在に連結する係止具と、を備え、前記係止具は、前記上衣と前記下衣の分離操作を開始するための始動部を有し、前記重合部において周方向の一部に、前記上衣の前記裾部又は前記下衣の前記腰部の一方から他方へ向けて更に突出する延長部位を部分的に形成し、前記延長部位の先端に前記始動部を設けたことを特徴とする。
【発明の効果】
【０００７】
前述した特徴を有する本発明は、上衣の裾部又は下衣の腰部のいずれか一方に設けられた重合部を、他方の外側に重ね合わせ、重合部に設けられる係止具で、上衣の裾部及び下衣の腰部を着脱自在に連結することにより、上衣の裾部と下衣の腰部の間に隙間が開かない。これと同時に、係止具が重合部となる上衣の裾部及び下衣の腰部との間に配置されるため、着用者の皮膚に当たることがない。また係止具の分離操作を、重合部において着用者の正面側となる箇所に配置される始動部から行う場合には、着用者が無理することなく速やかに上衣から下衣が分離可能となる。
したがって、上衣及び下衣の連結及び分離操作が行い易く、且つ上衣と下衣の隙間からの風侵入を防止しながら係止具による違和感が無いスポーツウエアを提供することができる。
その結果、上着を脱いでからでないとパンツ本体を下げられない従来のものに比べ、上着を脱がなくとも簡単な操作で上衣から下衣を下げることができ、トイレなどで非常に便利であり、使用勝手が良くなる。
さらに、上衣及び下衣の連結状態では、ビブショーツやビブスーツ又はワンピースなどと同じ形態になる。それにより、上衣と下衣の隙間から風が侵入しないため、特にサイクリングなどのように外気中を走るスポーツでは、着用者の体温が急激に下がらず、長時間に亘り連続してスポーツが行える。
また、係止具が着用者の皮膚に直接当たる違和感が無いため、快適にスポーツを行えて、係止具との擦れなどによる怪我を防止できて安全性に優れる。
【図面の簡単な説明】
【０００８】
【図１】本発明の実施形態に係るスポーツウエアの全体構成を示す説明図であり、（ａ）が分離状態の正面図、（ｂ）が結合状態の正面図である。
【図２】変形例を示す分離状態の正面図である。
【図３】変形例を示す分離状態の正面図である。
【図４】変形例を示す分離状態の正面図である。
【図５】本発明の他の実施例に係るスポーツウエアの全体構成を示す説明図であり、（ａ）が分離状態の正面図、（ｂ）が結合状態の正面図である。（ａ）（ｂ）において要部を部分拡大して示している。
【図６】本発明の他の実施例に係るスポーツウエアの全体構成を示す説明図であり、（ａ）が分離状態の正面図、（ｂ）が結合状態の正面図である。
【図７】変形例を示す分離状態の正面図である。
【発明を実施するための形態】
【０００９】
以下、本発明の実施形態を図面に基づいて詳細に説明する。
本発明の実施形態に係るスポーツウエアＡは、図１〜図７に示すように、ビブショーツやビブスーツと呼ばれるサイクリングパンツか、又はワンピースと呼ばれるサイクリングウエア、サイクリング以外のスポーツ用ウエア、スポーツ用のアンダーウエアなどとして用いられる、上衣１と下衣２がウエスト位置で連結及び分離可能なものである。
詳しく説明すると、本発明の実施形態に係るスポーツウエアＡは、伸縮素材からなり肩掛部１ａを有する上衣１と、伸縮素材からなり股部２ａを有する下衣２と、上衣１の裾部１ｂ又は下衣２の腰部２ｂのいずれか一方に他方を外側から覆うように設けられる重合部３と、重合部３に亘り設けられて上衣１の裾部１ｂ及び下衣２の腰部２ｂを着脱自在に連結する係止具４と、を主要な構成要素として備えている。
【００１０】
上衣１は、伸縮性や通気性などに優れた、例えばナイロン（登録商標）やポリエステルなどのストレッチ素材からなる合成繊維又はその他の繊維で、少なくとも肩掛部１ａを有する袖無し、半袖、肘を覆う七分袖、長袖、襟無し、襟有りなどのシャツ形状に形成される。
図１〜図４及び図６に示される例では、上衣１が袖無しで且つ襟無しの形状、すなわちランニングシャツ形状に形成され、胸元に開閉部１ｃとしてファスナー（チャック）などを部分的に設けて、上衣１の脱ぎ着を容易にするとともに、着用者（図示しない）が簡単に温度調整を行えるようにしている。
また、その他の例として図示しないが、上衣１として、肩掛部１ａを肩紐に変更したり、上衣１の形状を半袖形状、肘を覆う七分袖形状、長袖形状、襟有りのシャツ形状に変更したりするなど、上衣１を図示例とは異なる形状に変更することも可能である。さらに図５に示されるように、上衣１の胸元に開閉部１ｃを設けずに胸元が常時閉じる形状に形成したり、図７に示されるように、上衣１の着丈全体に亘り開閉部１ｃ′としてファスナー（チャック）などを設けたりするなど、変更することも可能である。
【００１１】
下衣２は、伸縮性や通気性などに優れた、例えばナイロン（登録商標）やポリエステルなどの素材からなる合成繊維又はその他の繊維で、少なくとも股部２ａを有するパンツやタイツなどの形状に形成される。
図１〜図７に示される例では、下衣２が半ズボンの形状に形成されている。
また、その他の例として図示しないが、下衣２として、膝を覆う七分丈、長ズボン、膝まで届かない短いパンツなど、下衣２を図示例とは異なる形状に変更することも可能である。
【００１２】
重合部３は、上衣１の裾部１ｂ又は下衣２の腰部２ｂのいずれか一方が他方の外側に重なり合うように延長して配置されることにより、上衣１の裾部１ｂ及び下衣２の腰部２ｂに沿って周方向へ環状に形成される。重合部３は、上衣１の裾部１ｂ及び下衣２の腰部２ｂの重ね合わせ箇所を着用者の腰回り部位と対向する位置に配置させ、腰回り部位の全周に亘って相互に面接触させるか、又は腰回り部位の一部を除く略全周に亘り相互に面接触させている。重合部３の周方向とは、上衣１の裾部１ｂにおいて下衣２の腰部２ｂと重なり合った箇所の裾回り方向であり、下衣２の腰部２ｂにおいて上衣１の裾部１ｂと重なり合った箇所の腰回り方向でもある。
図１〜図７に示される例では、上衣１の裾部１ｂを下衣２の腰部２ｂへ向け延長して重合部３が一体形成され、重合部３の裏面が下衣２の腰部２ｂの外側を全周又は略全周に亘り覆うように重ね合わされる。
また、その他の例として図示しないが、下衣２の腰部２ｂを延長して重合部３が一体形成され、重合部３の裏面が上衣１の裾部１ｂの外側を全周又は略全周に亘り覆うように重ね合わせることも可能である。
さらに必要に応じて、重合部３において周方向の一部には、図１〜図５に示されるように、上衣１の裾部１ｂ又は下衣２の腰部２ｂの一方から他方へ向けて更に突出する延長部位３ａを部分的に形成することが好ましい。延長部位３ａの先端には、後述する係止具４の始動部４ａを設けることが好ましい。
【００１３】
係止具４は、重合部３を構成する上衣１の裾部１ｂと下衣２の腰部２ｂに亘って設けられ、上衣１の裾部１ｂ及び下衣２の腰部２ｂの周方向において一部を除いた大部分か、又は全周か、若しくは略全周を着脱自在に連結するように構成されている。
さらに、係止具４は、上衣１及び下衣２を着用した時に、重合部３において着用者の正面側となる箇所に、上衣１の裾部１ｂと下衣２の腰部２ｂとの分離操作を開始するための始動部４ａを有している。
係止具４としては、重合部３を構成する上衣１の裾部１ｂと下衣２の腰部２ｂにおいてその周方向へ延びるように配置される長尺留め具４ｂと、重合部３の周方向においてその一部に点状に配置される点状留め具４ｃなどがある。
【００１４】
長尺留め具４ｂとは、ファスナーやジッパー（登録商標）やチャックなどと呼ばれる、留める部分が線状になっている器具（線状留め具）や、面ファスナーやマジックテープ(商標)やベルクロ(商標)ファスナーなどと呼ばれる、留める部分が帯状になっている器具（帯状留め具）などをいう。長尺留め具４ｂの線状留め具は、スライダー４ｂ１と、上衣１の裾部１ｂ及び下衣２の腰部２ｂにそれぞれ取り付けられて務歯（図示しない）を有する一対のテープ４ｂ２とを備えている。線状留め具は、テープ４ｂ２に沿ってスライダー４ｂ１をスライド移動させることにより、テープ４ｂ２の務歯同士が噛み合ってテープ４ｂ２が閉鎖される。特に、線状留め具としては、オープンファスナーなどと呼ばれる、テープ４ｂ２の全長に亘って開離可能な開離型スライドファスナーを用いることが好ましい。
点状留め具４ｃとは、フック（ホック）や短尺な面ファスナーやスナップ（押しホック）やバックルやクリップやボタンなど、留める部分が点状になっている器具をいう。
【００１５】
そして、係止具４の配置例としては、長尺留め具４ｂ又は点状留め具４ｃのいずれか一種類か、若しくは複数種類が配設される。
係止具４の具体例としては、長尺留め具４ｂを設けるとともに、始動部４ａとして点状留め具４ｃを設けることが好ましい。
さらに、長尺留め具４ｂとしては、重合部３の周方向へ伸縮性が有るものを用い、下衣２の腰部２ｂに長尺留め具４ｂの一部を配置した状態で、下衣２の脱ぎ着に伴って下衣２の腰回り部位が充分に伸縮変形するように構成することが好ましい。
しかし、現状の長尺留め具４ｂが有する伸縮性には限界がある。
そこで、下衣２を脱ぎ着する際に充分な伸縮性を持たせる手法として、重合部３を構成する下衣２の腰部２ｂにおける周方向の一部を除いて部分的に、長尺留め具４ｂを周方向へＣ字形に配置することにより、下衣２の腰部２ｂにおいて長尺留め具４ｂが配置されない箇所を、周方向へ伸縮変形な伸縮部２ｃとすることが好ましい。
【００１６】
図１〜図５に示される例では、係止具４として、ファスナーなどからなる線状の長尺留め具（線状留め具）４ｂが、重合部３において着用者の正面となる箇所を除き周方向へＣ字形に配置されることにより、下衣２の腰部２ｂにおいて着用者の正面となる箇所に伸縮部２ｃが形成され、それに加えて着用者の真正面となる箇所に点状留め具４ｃを配置している。
また、その他の例として図示しないが、線状の長尺留め具４ｂとしてファスナーなどの線状留め具に代え、面ファスナーなどの帯状留め具を、重合部３の正面となる箇所を除いて周方向へＣ字形か、又は重合部３の全周若しくは略全周に亘って配置したり、線状留め具と帯状留め具を組み合わせて、重合部３の正面となる箇所を除いて周方向へＣ字形か又は重合部３の全周若しくは略全周に亘って配置したり、複数の点状留め具４ｃを重合部３の正面となる箇所を除いて周方向へＣ字形か又は重合部３の全周若しくは略全周に亘ってそれぞれ所定間隔毎に配置するなど、変更することも可能である。
【００１７】
さらに、係止具４の長尺留め具４ｂとしてファスナーなどの線状留め具が重合部３に配置される場合には、閉状態のスライダー４ｂ１を、重合部３において着用者の正面側となる箇所に配置することで、閉状態のスライダー４ｂ１が始動部４ａとなる。
重合部３に対し係止具４として点状留め具４ｃを配置した場合には、重合部３において着用者の正面側となる箇所に配置されたものが、始動部４ａとなる。
また、長尺留め具４ｂの線状留め具として開離型スライドファスナーが用いられる場合には、図５に示されるように、テープ４ｂ２の少なくとも一端に設けられる開離嵌挿部４ｂ３の挿入方向を、上衣１から下衣２に向け重合部３の周方向に沿って徐々に着用者の正面側へ向かうように傾斜させることが好ましい。詳しく説明すると、開離型スライドファスナーを閉鎖するために、開離嵌挿部４ｂ３の箱棒４ｂ４に対して蝶棒４ｂ５が挿入される方向を、上衣１から下衣２へ向かうようにするとともに、重合部３の周方向に沿って徐々に着用者の正面側へ向け傾斜するように配置することが好ましい。
【００１８】
このような本発明の実施形態に係るスポーツウエアＡによると、上衣１の裾部１ｂ又は下衣２の腰部２ｂのいずれか一方に設けられた重合部３を、他方の外側に重ね合わせ、重合部３に亘り設けられる係止具４で、上衣１の裾部１ｂ及び下衣２の腰部２ｂを着脱自在に連結することにより、上衣１の裾部１ｂと下衣２の腰部２ｂの間に隙間が開かない。
これと同時に、係止具４が重合部３となる上衣１の裾部１ｂ及び下衣２の腰部２ｂとの間に配置されるため、着用者の皮膚に当たることがない。
また、係止具４の分離操作を、重合部３において着用者の正面側となる箇所に配置される始動部４ａから行えるため、着用者が無理することなく速やかに上衣１から下衣２が分離可能となる。
したがって、上衣１及び下衣２の連結及び分離操作を行い易くしつつ、上衣１の裾部１ｂと下衣２の腰部２ｂの隙間から着用者の皮膚への風侵入を防止しながら、着用者の皮膚に対する係止具４による違和感を無くすことができる。
その結果、上着を脱がなくとも簡単な操作で上衣１からパンツやタイツなどの下衣２を下げることができ、トイレなどで非常に便利である。
さらに、上衣１及び下衣２の連結状態では、ビブショーツやビブスーツと呼ばれるサイクリングパンツやワンピースと呼ばれるサイクリングウエアなどと同じ形態になる。それにより、上衣１と下衣２の隙間から風が侵入しないため、特にサイクリングなどのように外気中を走るスポーツでは、着用者の体温が急激に下がらず、長時間に亘り連続してスポーツが行える。
また、係止具４が着用者の皮膚に直接当たる違和感が無いため、快適にスポーツを行えて、係止具４との擦れなどによる怪我を防止できて安全性に優れる。
【００１９】
特に、係止具４として、重合部３の周方向へ延びる長尺留め具４ｂを設けるとともに、始動部４ａとして、重合部３の周方向へ点状に配置される点状留め具４ｃを設けた場合には、長尺留め具４ｂにより上衣１の裾部１ｂ及び下衣２の腰部２ｂが連結された状態で、着用者が激しく運動しても、上衣１の裾部１ｂと下衣２の腰部２ｂの間においてその周方向の一部が部分的に分離せず、着用者の腰回り部位と対向する箇所に隙間が開くことがなく、また始動部４ａとして重合部３の正面側に配置される点状留め具４ｃが目印となり、係止具４の分離操作を迷わずに開始することが可能になる。
したがって、上衣１及び下衣２の連結状態を良好に保ちながら上衣１と下衣２の分離動作を確実に行うことができる。
その結果、風の侵入による体温の低下をより効果的に防止できて保温性に優れ、しかもトイレなどで下衣２のみを確実に下げることができて利便性が向上する。
【００２０】
さらに、長尺留め具４ｂが、重合部３の周方向の一部を除いて部分的に配置され、下衣２の腰部２ｂにおいて長尺留め具４ｂが配置されない箇所を、周方向へ伸縮変形な伸縮部２ｃとした場合には、長尺留め具４ｂにおける長尺方向への伸縮性に限界があったとしても、下衣２の腰部２ｂにおいて伸縮部２ｃを周方向へ伸縮変形させることで、下衣２を脱ぎ着する際に充分な伸縮性が得られる。
したがって、下衣２の脱ぎ着を容易に行うことができる。
その結果、トイレなどにおける下衣２の脱ぎ着をスピードアップすることができて、使用勝手の更なる向上が図れる。
【実施例１】
【００２１】
次に、本発明の各実施例を図面に基づいて説明する。
実施例１は、図１（ａ）（ｂ）〜図４に示すように、重合部３において周方向の一部に、上衣１の裾部１ｂ又は下衣２の腰部２ｂの一方から他方へ向けて更に突出する延長部位３ａを部分的に形成し、延長部位３ａの先端に係止具４の始動部４ａを設けている。
さらに、重合部３において着用者の正面側となる箇所に延長部位３ａを部分的に形成し、延長部位３ａの先端に始動部４ａとして点状留め具４ｃを設けることが好ましい。
また、実施例１に係るスポーツウエアＡは、ビブショーツと呼ばれるサイクリングパンツである場合を示している。
詳しくは、上衣１が肩掛部１ａとして帯状の肩紐を有し、下衣２の股部２ａにパット２ｄが設けられている。
【００２２】
図１（ａ）（ｂ）〜図４に示される例では、上衣１の裾部１ｂに一体形成される重合部３において、着用者の正面側となる箇所に、下衣２の腰部２ｂへ向けて更に突出する延長部位３ａを部分的に延設し、延長部位３ａの先端に点状留め具４ｃを配置している。
また、その他の例として図示しないが、重合部３において着用者の左右側面側や背面側となる箇所に、単数又は複数の延長部位３ａを部分的に延設したり、下衣２の腰部２ｂに一体形成される重合部３において、着用者の正面側となる箇所のみか、或いは着用者の左右側面側や背面側となる箇所に、単数又は複数の延長部位３ａを部分的に延設し、これら延長部位３ａの先端に点状留め具４ｃをそれぞれ配置したり、変更することも可能である。
【００２３】
さらに、図１（ａ）（ｂ）〜図４に示される例では、上衣１の裾部１ｂに一体形成される重合部３において着用者の正面側となる箇所に、下衣２の腰部２ｂへ向けて略三角形状に突出する延長部位３ａが延設され、延長部位３ａの先端（下端）に点状留め具４ｃを一つのみ配置している。
これに加えて、重合部３には、前述したように係止具４として、長尺留め具４ｂが、重合部３において着用者の正面となる箇所を除き周方向へＣ字形に配置されることで、下衣２の腰部２ｂの正面となる箇所に伸縮部２ｃが形成され、伸縮部２ｃの外側を覆うように延長部位３ａが配置されている。
詳しく説明すると、長尺留め具４ｂとして、ファスナーなどからなる線状留め具のテープ４ｂ２を、上衣１の裾部１ｂに一体形成される重合部３の裏面と、下衣２の腰部２ｂの表面にそれぞれ取り付けすることにより、図１（ｂ）に示されるような、テープ４ｂ２が閉鎖された上衣１及び下衣２腰部２ｂの連結状態では、長尺留め具４ｂが重合部３と下衣２の腰部２ｂの間に挟まって外から見えないようにしている。
また、その他の例として図示しないが、延長部位３ａの形状を略三角形状に代えて例えば略台形など他の形状に一体形成したり、延長部位３ａの先端（下端）に複数の点状留め具４ｃを周方向へ所定間隔が空くように配置したり、長尺留め具４ｂとして線状留め具を外から見えるように露出させて配置したり、長尺留め具４ｂとして面ファスナーなどの帯状留め具を用いるなど、変更することも可能である。
【００２４】
そして、延長部位３ａの先端に配置される点状留め具４ｃの変形例を図１（ａ）（ｂ）〜図４に示している。
図１（ａ）（ｂ）に示される例では、点状留め具４ｃとして、上衣１の延長部位３ａの先端（下端）にフック４ｃ１を、それと対向する下衣２の箇所にフック４ｃ１と着脱自在に係合するループ４ｃ１′をそれぞれ着用者の真正面となるように配置している。重合部３において着用者の真正面となる箇所には、フック４ｃ１及びループ４ｃ１′と、線状の長尺留め具（線状留め具）４ｂにおける閉状態のスライダー４ｂ１が、始動部４ａとなるように配置されている。
図２に示される例では、点状留め具４ｃとして、上衣１の延長部位３ａの先端（下端）に短尺な面ファスナー４ｃ２を、それと対向する下衣２の箇所に短尺な面ファスナー４ｃ２と着脱自在に係合する短尺な面ファスナー４ｃ２′をそれぞれ着用者の真正面となるように配置している。重合部３において着用者の真正面となる箇所には、一対の面ファスナー４ｃ２，４ｃ２′と、線状の長尺留め具（線状留め具）４ｂにおける閉状態のスライダー４ｂ１が、始動部４ａとなるように配置されている。
図３に示される例では、点状留め具４ｃとして、上衣１の延長部位３ａの先端（下端）にスナップ４ｃ３を、それと対向する下衣２の箇所にスナップ４ｃ３と着脱自在に係合するスナップ４ｃ３′をそれぞれ着用者の真正面となるように配置している。重合部３において着用者の真正面となる箇所には、一対のスナップ４ｃ３，４ｃ３′と、線状の長尺留め具（線状留め具）４ｂにおける閉状態のスライダー４ｂ１が、始動部４ａとなるように配置されている。
図４に示される例では、点状留め具４ｃとして、上衣１の延長部位３ａの先端（下端）にバックル４ｃ４を、それと対向する下衣２の箇所にバックル４ｃ４と着脱自在に係合するバックル４ｃ４′をそれぞれ着用者の真正面となるように配置している。重合部３において着用者の真正面となる箇所には、一対のバックル４ｃ４，４ｃ４′と、線状の長尺留め具（線状留め具）４ｂにおける閉状態のスライダー４ｂ１が、始動部４ａとなるように配置されている。
【００２５】
このような本発明の実施例１に係るスポーツウエアＡによると、着用者が、重合部３における延長部位３ａの位置を目視や手の感触で容易に確認できるため、延長部位３ａの先端に設けられる始動部４ａの位置も認識し易く、係止具４の分離操作を速やかに開始することが可能になる。
したがって、上衣１及び下衣２の分離動作をスムーズに行うことができる。
その結果、トイレなどにおける下衣２の脱ぎ着をスピードアップすることができて、使用勝手が向上するという利点がある。
特に、図１（ａ）（ｂ）〜図４に示されるように、重合部３において着用者の正面側となる箇所に延長部位３ａを形成した場合には、延長部位３ａ及び始動部４ａの位置が目視や手の感触で更に認識し易く、係止具４の分離操作を更に速やかに開始することが可能になる。
したがって、上衣１及び下衣２の分離動作を更にスムーズに行うことができる。
その結果、トイレなどにおける下衣２の脱ぎ着をよりスピードアップすることができるという利点がある。
さらに、延長部位３ａによって着用者の腹部が二重構造となるため、腹部の保温性能が向上する。特にサイクリングなどのように外気が当たることで腹部を冷やし易いスポーツでは、腹部が冷え難く、長時間に亘り連続してスポーツが行えるという利点がある。
また、図示例のように、下衣２の腰部２ｂにおいて着用者の正面側となる箇所に形成された伸縮部２ｃを覆うように延長部位３ａが形成される場合には、重合部３の正面となる箇所に長尺留め具４ｂが配置されないために隙間が空き易い構造となるが、伸縮部２ｃを延長部位３ａで覆うことにより、伸縮部２ｃと延長部位３ａの隙間から風が侵入し難くなるため、サイクリングなどのように着用者の正面側から風が当たるスポーツに好適であるという利点もある。
【実施例２】
【００２６】
この実施例２は、図５（ａ）（ｂ）に示すように、線状の長尺留め具（線状留め具）４ｂが、開離嵌挿部４ｂ３を有する開離型スライドファスナーであり、開離嵌挿部４ｂ３の挿入方向を、上衣１から下衣２に向け重合部３の周方向に沿って徐々に着用者の正面側へ向かうように傾斜させた構成が、図１〜図４に示した実施例１とは異なり、それ以外の構成は図１〜図４に示した実施例１と同じものである。
開離型スライドファスナーとは、テープ４ｂ２の少なくとも一端部位に開離嵌挿部４ｂ３が設け、スライダー４ｂ１のスライド移動によりテープ４ｂ２の全長に亘って開離可能なオープンファスナーである。このオープンファスナーには、図５（ａ）（ｂ）に示されるような、テープ４ｂ２の一端部位に設けられる開離嵌挿部４ｂ３から一つのスライダー４ｂ１をテープ４ｂ２の他端部位へ向けて往復移動させるものと、テープ４ｂ２の両端部位に設けられる一対の開離嵌挿部４ｂ３に亘って二つのスライダーを逆向きにスライド移動可能な逆開(両開き)オープンファスナー（図示しない）などがある。
開離嵌挿部４ｂ３の具体例としては、箱棒４ｂ４と、箱棒４ｂ４に接触するようにスライダー４ｂ１が移動した状態で箱棒４ｂ４に沿って挿入可能な蝶棒４ｂ５などを有している。
つまり、開離型スライドファスナーのテープ４ｂ２において、開離嵌挿部４ｂ３が設けられる少なくとも一端部位を、開離型スライドファスナーを閉鎖するためにスライダー４ｂ１が接触した箱棒４ｂ４に対して蝶棒４ｂ５を挿入する方向が、上衣１から下衣２へ向かうに従い重合部３の周方向（上衣１の裾部１ｂの裾回り方向や下衣２の腰部２ｂの腰回り方向）に沿って徐々に着用者の正面側へ向け傾斜するように配置している。
【００２７】
ところで、上衣１及び下衣２を着用した状態において、着用者が両手の指により箱棒４ｂ４と蝶棒４ｂ５を摘んで挿入動作を行う場合、上衣１及び下衣２の正面側において着用者が両手の指を最も動かし易い方向は、前後横方向（Ｙ方向）や前後縦方向（Ｚ方向）であり、左右横方向（Ｘ方向）へは両手の指を動かし難い。
しかし、線状の長尺留め具（線状留め具）４ｂとなる開離型スライドファスナーは、前述したように、テープ４ｂ２を重合部３の周方向へ延びるように配置する必要があると同時に、始動部４ａとなる閉状態のスライダー４ｂ１を重合部３において着用者の正面側となる箇所に配置する必要がある。これらの条件を満たすには、図１〜図４に示された例のように、箱棒４ｂ４に対する蝶棒４ｂ５の挿入方向が左右横方向（Ｘ方向）になってしまう。箱棒４ｂ４と蝶棒４ｂ５を摘んで左右横方向（Ｘ方向）へ挿入する動作は行い難い。
そこで、開離型スライドファスナーのテープ４ｂ２において、開離嵌挿部４ｂ３が設けられる一端部位又は両端部位を、左右横方向（Ｘ方向）から前後縦方向（Ｚ方向）へ向け所定角度傾斜させて、開離型スライドファスナーを閉鎖するためにスライダー４ｂ１が接触した箱棒４ｂ４に対し蝶棒４ｂ５を挿入する方向が、下衣２の正面における左右中心線へ向けて斜め下向きとなるように配置することにより、着用者が両手の指で箱棒４ｂ４と蝶棒４ｂ５を摘み挿入する動作がスムーズに行えるようにしている。
【００２８】
図５（ａ）（ｂ）に示される例では、線状の長尺留め具（線状留め具）４ｂの開離型スライドファスナーとして、テープ４ｂ２の一端部位には開離嵌挿部４ｂ３となる箱棒４ｂ４に蝶棒４ｂ５を嵌挿するための箱体４ｂ６が連設され、且つテープ４ｂ２の他端部位には止め部４ｂ７が設けられ、これら開離嵌挿部４ｂ３と止め部４ｂ７に亘って一つのスライダー４ｂ１をスライド移動自在に設けたオープンファスナーが用いられている。詳しく説明すると、開離嵌挿部４ｂ３の箱棒４ｂ４及び箱体４ｂ６を有するテープ４ｂ２の一端部位と、止め部４ｂ７を有するテープ４ｂ２の他端部位とが、それぞれ下衣２の左右中心線へ向けて斜め下向きで且つ左右対称となるように配置している。
また、その他の例として図示しないが、開離嵌挿部４ｂ３の箱棒４ｂ４及び箱体４ｂ６が設けられるテープ４ｂ２の一端部位を、下衣２の左右中心線へ向けて斜め下向きに配置するものの、止め部４ｂ７が設けられるテープ４ｂ２の他端部位を左右横方向（Ｘ方向）に配置したり、一つのスライダー４ｂ１を有するオープンファスナーに代えて、二つのスライダーが逆向きにスライド移動自在に設けられた逆開(両開き)オープンファスナーを用いたり変更することも可能である。
【００２９】
さらに、図５（ａ）（ｂ）に示される例では、上衣１側に取り付けられる一方のテープ４ｂ２を、上衣１の裾部１ｂに一体形成される重合部３の端縁（下縁）に沿って露出するように配置している。
それに加えて、図５（ａ）に示されるように、テープ４ｂ２を開いた上衣１と下衣２の分離状態において一つのスライダー４ｂ１が、下衣２の腰部２ｂに取り付けたテープ４ｂ２に残る場合を示している。
また、その他の例として図示しないが、図１（ｂ）に示されるように、上衣１の裾部１ｂに一体形成される重合部３の裏面に上衣１側のテープ４ｂ２を取り付けて、上衣１及び下衣２腰部２ｂの連結状態で長尺留め具（線状留め具）４ｂが見えないように配置したり、上衣１と下衣２の分離状態において一つのスライダー４ｂ１が、上衣１の裾部１ｂに取り付けたテープ４ｂ２に残るように配置したり変更することも可能である。
【００３０】
このような本発明の実施例２に係るスポーツウエアＡによると、上衣１及び下衣２の着用状態で開離型スライドファスナーを閉鎖するため、開離嵌挿部４ｂ３の挿入方向（箱棒４ｂ４に対する蝶棒４ｂ５の挿入方向）が、上衣１から下衣２に向かうに従い重合部３の周方向に沿って徐々に着用者の正面側へ向かうように傾斜されるため、上衣１及び下衣２を着用した着用者が両手の指で箱棒４ｂ４と蝶棒４ｂ５を摘んで挿入動作がスムーズに行える。
したがって、開離型スライドファスナーの閉鎖動作をスムーズに行えて上衣１と下衣２の連結動作を更にスピードアップすることができる。
その結果、使用勝手の更なる向上が図れるという利点がある。
【００３１】
特に、一つのスライダー４ｂ１を有するオープンファスナーに代えて、二つのスライダーが逆向きにスライド移動自在に設けられた逆開(両開き)オープンファスナーを用いた場合には、テープ４ｂ２の両端に設けられる開離嵌挿部４ｂ３のいずれでも分離可能となるため、着用者が右利き・左利きに関係なく開離型スライドファスナーをスムーズに開閉できて、利便性に優れるという利点がある。
また、図５（ａ）（ｂ）に示されるように、上衣１側に取り付けられる一方のテープ４ｂ２を、上衣１の裾部１ｂに一体形成される重合部３の端縁（下縁）に沿って露出するように配置した場合には、図１〜図４に示された例のような、上衣１及び下衣２腰部２ｂの連結状態で長尺留め具（線状留め具）４ｂが見えないように配置したものに比べ、上衣１の裾部１ｂをめくれる動作を行わなくとも、開離嵌挿部４ｂ３の箱棒４ｂ４に対する蝶棒４ｂ５の挿入動作が簡単に行えるとともに、上衣１の裾部１ｂがリックサックなどとの接触によりめくれず、使用勝手が良いという利点がある。
【実施例３】
【００３２】
この実施例３は、図６（ａ）（ｂ）〜図７に示すように、重合部３に対し係止具４として、長尺留め具４ｂのみを設けた構成が、図１〜図４に示した実施例１又は図５に示した実施例２とは異なり、それ以外の構成は図１〜図４に示した実施例１又は図５に示した実施例２と同じものである。
詳しくは、長尺留め具４ｂとして、ファスナーなどの線状留め具又は面ファスナーなどの帯状留め具のいずれか一方か、若しくは線状留め具及び帯状留め具の両方が配置されている。
【００３３】
図６（ａ）（ｂ）に示される例では、上衣１の裾部１ｂに一体形成される重合部３の端縁（下縁）と、下衣２の腰部２ｂに亘って線状の長尺留め具（線状留め具）４ｂを、重合部３の全周又は略全周に亘り配置し、閉状態のスライダー４ｂ１を、重合部３において着用者の真正面となる箇所に配置することで、始動部４ａとなるように構成されている。
図７に示される例では、上衣１の着丈全体に亘り、開閉部１ｃ′としてファスナー（チャック）などを設けている。それ以外は図６（ａ）に示される例と同じである。
また、その他の例として図示しないが、下衣２の腰部２ｂに一体形成される重合部３の端縁（上縁）と、上衣１の裾部１ｂに亘って線状の長尺留め具（線状留め具）４ｂを、重合部３の全周又は略全周に亘り配置したり、線状の長尺留め具（線状留め具）に代えて帯状留め具を、重合部３の全周又は略全周に亘り配置したり、変更することも可能である。
【００３４】
このような本発明の実施例３に係るスポーツウエアＡによると、長尺留め具４ｂのみで上衣１及び下衣２が連結されるため、始動部４ａとなるスライダー４ｂ１で分離操作を行うことにより、上衣１から下衣２が分離される。
したがって、実施例１に比べ、点状留め具４ｃが無い分だけ全体構造が簡素化されて、上衣１及び下衣２の連結及び分離操作が更に簡単で、コストの低減化が図れるという利点がある。
特に、図７に示されるように、上衣１の着丈全体に亘り、開閉部１ｃ′としてファスナー（チャック）などを設けた場合には、体温調整が行い易くなるとともに、上衣１の脱ぎ着が行い易くなるという利点がある。
【００３５】
なお、前示実施例では、スポーツウエアＡがビブショーツと呼ばれるサイクリングパンツである場合を示したが、これに限定されず、サイクリング以外のスポーツに用いたり、スポーツ用のアンダーウエアとして用いたりするものであってもよい。
【符号の説明】
【００３６】
１  上衣                                １ａ  肩掛部
１ｂ  裾部                              ２  下衣
２ａ  股部                              ２ｂ  腰部
２ｃ  伸縮部                            ３  重合部
３ａ  延長部位                          ４  係止具
４ａ  始動部                            ４ｂ  長尺留め具
４ｂ３  開離嵌挿部                      ４ｃ  点状留め具
【要約】
上衣及び下衣の連結及び分離操作が行い易く、且つ上衣と下衣の隙間からの風侵入を防止しながら係止具による違和感が無いスポーツウエアを提供する。
上衣１の裾部１ｂ又は下衣２の腰部２ｂのいずれか一方に設けられた重合部３を、他方の外側に重ね合わせ、重合部３に設けられる係止具４で、上衣１の裾部１ｂ及び下衣２の腰部２ｂを着脱自在に連結することにより、上衣１の裾部１ｂと下衣２の腰部２ｂの間に隙間が開かない。これと同時に、係止具４が重合部３となる上衣１の裾部１ｂ及び下衣２の腰部２ｂとの間に配置されるため、着用者の皮膚に当たることがない。また係止具４の分離操作を、重合部３において着用者の正面側となる箇所に配置される始動部４ａから行えるため、着用者が無理することなく速やかに上衣１から下衣２が分離可能となる。【図１】
0005622983.tif 000002
【図２】
0005622983.tif 000003
【図３】
0005622983.tif 000004
【図４】
0005622983.tif 000005
【図５】
0005622983.tif 000006
【図６】
0005622983.tif 000007
【図７】
0005622983.tif 000008